(57)【要約】【課題】  日常的な開閉操作の容易さと、衝撃や振動に対するロックの信頼性とを両立できる、扉の開閉機構および開閉方法を提供する。【解決手段】  扉３に固定されている一片４ｂと、筐体１に固定されている他片４ｃと、両片を連結する板ばね状の連結部４ｄとからなる蝶番４を介して、扉３が筐体１に取り付けられている。初期状態では爪部３ａが係止部１ｃに係止されて扉３が閉じた位置に保持される。この状態から閾値（２０ｇ重〜２ｋｇ重の範囲内の値）以上の力を加えて、連結部４ｄを弾性変形させながら扉３全体を矢印Ａ方向にスライドさせると、爪部３ａが係止部１ｃから外れてロックが解除される。そこで、扉３を軸４ａを中心として揺動させて開く。開いた扉３を閉じる際には、扉３を軸４ａを中心として反対に揺動させるだけでよく、爪部３ａが係止部１ｃに係止されて扉３は閉じた位置に保持される。【選択図】  図２
2006045943.tif 000002
【特許請求の範囲】
【請求項１】
蝶番を介して被取付体に取り付けられ、前記蝶番の軸を中心として揺動することによって開閉可能である扉と、前記扉を閉じた位置に保持可能なロック機構とを有し、
前記扉が前記ロック機構によって前記閉じた位置に保持されている状態で、外力が加えられて前記扉全体が主面に平行な面内でスライドさせられると、前記ロック機構による保持が解除されて、前記扉が前記軸を中心として揺動可能になる、扉の開閉機構。
【請求項２】
前記扉を、主面に平行な面内でスライドさせられた位置からスライド前の初期位置に復帰させる付勢手段を有し、
前記付勢手段は、所定の閾値未満の外力による前記扉のスライドを防ぎ、かつ前記閾値以上の外力による前記扉のスライドを許容するものであり、前記閾値は２０グラム重〜２キログラム重の範囲内の値である、請求項１に記載の扉の開閉機構。
【請求項３】
前記蝶番は、前記扉に取り付けられている一片と前記被取付体に取り付けられている他片とが前記軸を中心として相対的に揺動可能であるとともに、前記扉の主面に平行な面内におけるスライドを可能にするために、前記一片と前記他片とが前記軸に垂直な方向または前記軸に平行な方向に相対的に平行移動可能な構成であり、
前記ロック機構は、前記扉と前記被取付体のうちの一方に設けられている爪部と、他方に設けられている係止部とからなり、前記爪部と前記係止部の係合が、前記扉の主面に平行な面内におけるスライドによって解除される構成である、請求項１または２に記載の扉の開閉機構。
【請求項４】
請求項１〜３のいずれか１項に記載の扉の開閉機構を用いた扉の開閉方法において、
初期状態では、前記扉は前記ロック機構によって閉じた位置に保持され、
閉じた位置に保持された状態の前記扉を開く際には、前記扉に力を加えて前記扉全体を主面に平行な面内でスライドさせることによって前記ロック機構による保持を解除してから、前記扉を前記蝶番の前記軸を中心として揺動させることによって開き、
開いた状態の前記扉を閉じる際には、前記軸を中心として前記扉を揺動させて閉じるとともに、前記ロック機構によって前記扉を閉じた位置に保持させることを特徴とする、扉の開閉方法。
【発明の詳細な説明】
【技術分野】
【０００１】
本発明は、什器棚等の家具や自動車内の小物入れ等の収納機器の扉、またはノート型パーソナルコンピュータなどのポータブル家電製品の蓋となる扉の開閉機構および開閉方法に関する。
【背景技術】
【０００２】
一般に、蝶番を介して被取付体に揺動可能に取り付けられており揺動することによって開閉する扉は、閉じた状態を保つために何らかのロック装置が付設されている。特別なロック装置を取り付ければロックを確実にすることができるが、その代償として、扉を開ける前にロックを解除する操作、例えば、レバーやつまみやかんぬきなどの部材を動かす操作が必要である。これに対し、ばね仕掛けの金具や磁石などからなる簡単なロック機構を採用すれば、扉の開閉のための操作を比較的簡単にすることができるが、扉を閉じた状態に保持する信頼性が低くなり、予期しない衝撃や振動で容易に扉が開いてしまう危険性がある。このように、扉の開閉機構において、閉じた状態を保持するロックの信頼性と、開閉のための操作の容易さとを両立させるのは困難である。結局、開閉頻度が高い扉、例えば什器棚の扉等に関しては、ロックの信頼性を多少犠牲にして開閉操作の容易さが重んじられているのが現状である。
【０００３】
このような、ロックの信頼性に乏しく開閉操作が容易な什器棚等の扉の場合、日常的な使用に関してはあまり問題がないが、地震等により予期しない大きな振動や衝撃が加わった際に、扉が開いて中の什器が飛び出して破損することが考えられる。特に地震等の災害の場合には、破損した什器の破片（例えば陶磁器やガラス器の破片）が人を傷つけたり、揺れて開閉する扉が人に当たって負傷させることや、破損した什器の破片が避難路に散らばったり、開閉する扉が避難路を塞いだりして、避難時の危険を増大させることが考えられる。
【０００４】
そこで、地震等による予期しない大きな振動や衝撃によっても内部に収納している什器が飛び出さないように、扉をロックする構成が提案されている。例えば特許文献１には、スプリング等を用いて地震などによる揺れを感知して扉をロックさせる機構が提案されている。また、特許文献２には、磁石（マグネットキャッチ）によって扉をロックさせる機構において、地震などの際に開いてしまわないように開放防止力を大きく（約３．５ｋｇ以上、最も好ましくは６ｋｇ以上に）設定した構成が提案されている。
【特許文献１】特開平１１−６２３５４号公報
【特許文献２】特開平８−３１９７５２号公報
【発明の開示】
【発明が解決しようとする課題】
【０００５】
特許文献１に記載の構成は、スプリング等を用いて地震などによる揺れを感知した時にのみロック機構が作動する構成であるが、必ずしも信頼性の高いものではない。すなわち、地震発生と同時に大きな揺れが生じて扉が開いてしまうと、前記した種々の危険を回避することができないため、扉が開く前に地震を即座に感知して直ちにロック機構が作動しなければならない。現実的には、特許文献１に記載の構成によって、スプリング等が揺れを検知して扉のロックを完了するまでの間に扉が開いてしまうことが全くないとはいえないと思われる。できるだけ迅速に地震を感知してロック機構を作動させるためには、僅かな揺れにも即座に反応するように感度を高める必要があるが、そうすると、地震以外の日常生活内での僅かな衝撃や振動によってもロック機構が作動するおそれがあり、不必要に頻繁に扉が開かなくなってしまうことが考えられる。その結果、日常的な通常の使用が不便になる。このように、地震を即座に感知してロック機構を作動させることが可能であり、しかも地震等以外の日常的な衝撃や振動には反応しないというような適切な感度に設定することは困難であると思われる。特に、特許文献１のようなスプリングの組み合わせにおいて前記した適切な感度を得ることは非常に困難である。また、特許文献１には、構成が非常に複雑で大きなスペースを必要とするとともにコスト高になるという欠点がある。
【０００６】
特許文献２に記載の構成は、特許文献１に記載の構成と異なり、通常時には比較的強い力で扉を閉じた状態に保ち、地震などが起きても扉が開かないようにしている。しかし、日常的な使用において扉を開く操作が非常に面倒になる。すなわち、日常的な使用時にも、約３．５ｋｇ以上（最も好ましくは６ｋｇ以上）もの大きな力を加えない限り開けられないため、日常的な通常の使用が不便である。このマグネットキャッチが、いわゆるプッシュキャッチ式のマグネットキャッチであると、扉は一旦押し込まれると容易に開くため、操作が多少簡単になる。しかし、プッシュキャッチ式のマグネットキャッチを用いると、地震などの際に扉の主面に人体や物品がぶつかると開いてしまう可能性があるため、せっかく開放防止力が大きく設定されているにもかかわらず、意図しない時に簡単に開いてしまう可能性がある。
【０００７】
そこで本発明の目的は、日常的な通常の使用における扉の開閉操作が容易であり、しかも予期しない衝撃や振動を受けても扉が閉じた状態に保持するロックの信頼性および確実性が高い、扉の開閉機構および開閉方法を提供することにある。
【課題を解決するための手段】
【０００８】
本発明の扉の開閉機構は、蝶番を介して被取付体に取り付けられ、蝶番の軸を中心として揺動することによって開閉可能である扉と、扉を閉じた位置に保持可能なロック機構とを有し、扉がロック機構によって閉じた位置に保持されている状態で、外力が加えられて扉全体が主面に平行な面内でスライドさせられると、ロック機構による保持が解除されて、扉が前記軸を中心として揺動可能になることを特徴とする。
【０００９】
この構成によると、通常状態ではロック機構により扉は閉じた位置に保持されるため、地震等による予期しない揺れや衝撃が加わっても扉が開くおそれがなくロックの信頼性が高く安全である。さらに、ロック解除のための扉全体のスライドと扉を開くための揺動とを連続する一連の動作として容易に行えるため、開閉操作が非常に簡単である。
【００１０】
本発明の開閉機構はまた、扉を、主面に平行な面内でスライドさせられた位置からスライド前の初期位置に復帰させる付勢手段を有し、付勢手段は、所定の閾値未満の外力による扉のスライドを防ぎ、かつ閾値以上の外力による扉のスライドを許容するものであり、閾値は２０グラム重〜２キログラム重の範囲内の値であることが好ましい。
【００１１】
この構成では、日常生活中の僅かな衝撃や振動によって２０グラム重未満の小さな力が加わった際に扉がスライドしてロックが解除されて扉が開いてしまうことがなく、また、２キログラム重以下の力で扉をスライドしてロックを解除し扉を開くことができるため、開閉操作が容易である。
【００１２】
蝶番は、扉に取り付けられている一片と被取付体に取り付けられている他片とが軸を中心として相対的に揺動可能であるとともに、扉の主面に平行な面内におけるスライドを可能にするために、一片と他片とが軸に垂直な方向または軸に平行な方向に相対的に平行移動可能な構成であり、ロック機構は、扉と被取付体のうちの一方に設けられている爪部と、他方に設けられている係止部とからなり、爪部と係止部の係合が、扉の主面に平行な面内におけるスライドによって解除される構成である。この蝶番とロック機構を採用すると、ロックの信頼性向上と開閉操作の容易さとを両立できる構成が容易に実現できる。
【００１３】
本発明の扉の開閉方法は、前記したいずれかの構成の扉の開閉機構を用い、初期状態では、扉はロック機構によって閉じた位置に保持され、閉じた位置に保持された状態の扉を開く際には、扉に力を加えて扉全体を主面に平行な面内でスライドさせることによってロック機構による保持を解除してから、扉を蝶番の軸を中心として揺動させることによって開き、開いた状態の扉を閉じる際には、軸を中心として扉を揺動させて閉じるとともに、ロック機構によって扉を閉じた位置に保持させることを特徴とする。
【発明の効果】
【００１４】
本発明によると、扉のロックの信頼性と、日常的な扉の開閉操作の容易さとが両立でき、しかも構成が非常に簡単でコストを低く抑えることができる。特に、本発明の扉の開閉機構および開閉方法は、日常的に頻繁に開閉する必要があり、かつ地震等の不測の事態において扉が開かないようにロックすることが好ましい什器棚等の収納設備の扉や、衝撃や震動が絶えず加えられても無闇に開かないことが好ましい自動車等の乗物内の収納設備（例えば小物入れ）や、持ち運ばれて振動や衝撃を受けることが多いノート型パーソナルコンピュータ等のポータブル家電の蓋として用いられる扉に適している。
【発明を実施するための最良の形態】
【００１５】
以下、本発明の実施の形態について説明する。
【００１６】
図１には本発明の扉の開閉機構を備えた収納設備の一例である什器棚が示されている。この什器棚の構成について簡単に説明すると、被取付体である筐体１の内部が食器等の物品２を収納可能な収納部１ａであり、筐体１の前面は、物品２を収納部１ａに対して出し入れ可能にする開口部１ｂになっている。そして、この開口部１ｂを塞ぐ扉３が、後述する開閉機構によって開閉可能に取り付けられている。本実施形態の扉３は１枚の板状であり、主面３ｂと、上下および左右の各端面とを有している。なお、本発明における扉３の主面３ｂとは、上下および左右の端面を除いた扉の主要部（主体）をなす大面積の面（表面および裏面）のことである。
【００１７】
扉３の開閉機構について説明すると、扉３は、蝶番４によって筐体１の開口部１ｂ近傍に取り付けられており、蝶番４の軸４ａを中心として揺動することによって開閉可能である。扉３の内面（裏面）には爪部３ａが設けられており、この爪部３ａを係止可能な係止部１ｃが、筐体１の開口部１ｂの近傍で、蝶番４の反対側に設けられている。この爪部３ａと係止部１ｃがロック機構を構成している。また、扉３の外面（表面）には、図示しない取っ手等が設けられている。
【００１８】
蝶番４は、図１，２に示すように、扉３の内面（裏面）にねじ５により固定されている一片（一方の羽根）４ｂと、筐体１にねじ５により固定されている他片（他方の羽根）４ｃと、一片４ｂと他片４ｃとを連結する連結部４ｄとを有し、一片４ｂが軸４ａを中心として他片４ｃに対して相対的に揺動可能である。さらに、この蝶番４の連結部４ｄは、強靭で薄い金属板からなり、屈曲した形状に形成されてばね性を有する板ばね状のものである。すなわち、連結板４ｄは、弾性変形することによって、扉３の、主面３ｂに平行で蝶番４の軸４ａに垂直な方向（図２（ａ）の矢印Ａ方向）への移動（スライド）を許容する機構になっているとともに、初期位置へ復帰させる（図２（ａ）の矢印Ｂ方向への）付勢手段として作用する。ただし、連結部４ｄは所定の閾値以上の外力が加わったときに初めて弾性変形して扉３のスライドを許容するものであり、その閾値未満の外力が加わっても変形せず扉３のスライドを防ぐものである。この閾値は、２０グラム重〜２キログラム重の範囲内で任意に設定される。
【００１９】
次に、この什器棚における扉３の開閉方法について説明する。扉３は、前記した蝶番４を介して筐体１に取り付けられており、開口部１ｂを塞ぐように閉じた位置で、爪部３ａが係止部１ｃに係止されることによってロックされて保持される。このとき、蝶番４の連結部４ｄのばね力によって扉３は図２（ａ）の矢印Ｂ方向に付勢されているので、爪部３ａは係止部１ｃから外れないようになっている。これが通常の状態（図２（ａ）に示す初期状態）である。
【００２０】
使用者が扉３を開く際には、まず、図示しない取っ手等を持って、図２（ｂ）に示すように矢印Ａ方向に扉３全体をスライドさせる。この時、蝶番４の連結部４ｄが弾性変形することによって扉３が平行移動できる。その結果、爪部３ａが係止部１ｃから外れてロックが解除される。そこで、使用者が扉３を手前に引くと、図２（ｃ）に示すように、ロックが解除された扉３が蝶番４の軸４ａを中心として揺動して開く。それによって、図１に示すように収納部１ａが開口部１ｂを介して外部に露出し、収納部１ａの内部の物品２の出し入れが可能になる。ロックを解除させて扉３を揺動させた時点で、扉３は蝶番４の連結部４ｄのばね力によって、スライドさせられた位置からスライド前の初期位置に復帰する。
【００２１】
開いた扉３を閉じる際には、扉３を蝶番４の軸４ａを中心として揺動させるだけでよい。図２（ｄ）に示すように、揺動の途中で爪部３ａが係止部１ｃに当接すると、係止部１ａが爪部３ａの傾斜面を摺動することによって、扉３が、蝶番４の連結部４ｄを弾性変形させながら僅かに矢印Ａ方向に平行移動する。そして、係止部１ａが爪部３ａの傾斜面を乗り越えたら、連結部４ｄのばね力により一片４ａおよび扉３が矢印Ｂ方向に復帰して、爪部３ａが係止部１ａに係止されて、扉３は閉じた位置（図２（ａ）に示す初期状態）に保持される。
【００２２】
本実施形態によると、通常状態において、爪部３ａが係止部１ａに係止されて扉３は閉じた位置に保持されるため、地震等による予期しない揺れや衝撃が加わっても扉３が開くおそれがなく、従って、収納部１ａ内に収納されている物品２が飛び出したり、扉３が開閉したりする危険がない。これは、特許文献１の構成のように揺れを感知したときに初めてロック動作を行う構成に比べて、はるかに信頼性が高く安全である。
【００２３】
さらに、本実施形態によると、使用者が取っ手等を掴んで扉３全体をスライド（平行移動）させてロックを解除してから、そのまま扉３を揺動させて開くことができる。ロック解除のためのスライドと扉３の揺動とを一連の動作として連続的に容易に行うことができるため、非常に操作性が良い。例えば、ロック機構を解除するための専用のレバーやつまみやかんぬき等が設けられている場合には、それらのレバーやつまみやかんぬき等を操作してロックを解除する動作と、扉３を揺動させるための動作が不連続な別個の動作として行われるため手間がかかるが、本実施形態では、扉３を開くための揺動動作の前に、扉３の主面３ｂに平行な方向に僅かに力を加えてスライドさせるだけなので容易である。しかも、扉３全体をスライドさせる構成であるため、小さなレバーやつまみやかんぬきを操作するような細かい作業は不要で、扉３を掴んで力を加える位置などは特に限定されずあまり精緻さを要求されない容易な操作でロック解除できるため、操作性がよい。
【００２４】
特に、付勢手段（連結部４ｄ）が、２０グラム重〜２キログラム重の範囲内の値である閾値以上の外力を加えられることによって初めて扉３のスライドを許容する構成であることが好ましい。仮に、２０グラム重未満の外力で扉３がスライドしてロックが解除されるような構成であると、地震等でなくても日常生活中の僅かな衝撃や振動によってロックが解除されてしまう可能性がある。また、２キログラム重を越える外力が加わらないと扉３がスライドできずロックが解除されない構成であると、扉３の開閉操作にかなり大きな力が必要であり操作が面倒なため、開閉頻度が高い扉には適さない。
【００２５】
なお、特許文献２に記載の構成では、ロック解除のための動作と扉を開くための動作が全く同じ動きであるため、操作が一連の動作として行えるという利点はあるものの、機械式のロック機構と異なり、マグネットによるロックであるため、地震等の揺れや振動によって扉が開かないようにするには、扉を開くためにかなり大きな力を要する構成にせざるを得ない。その結果、扉の開閉が面倒になり、開閉頻度が高い扉には適さない。また、プッシュキャッチタイプのマグネットキャッチを利用する場合には、扉の主面に物品や人体が触れたときにロックが解除されて扉が開く可能性がある。特に、扉のロックが最も必要とされる地震などの災害時には、予期しない事態で物品や人体がぶつかって扉の主面が押圧されることが起こり得るので、扉のロックの信頼性がむしろ低いといえる。
【００２６】
これに対し、本実施形態の構成では、扉３のロック解除は、扉３の主面３ｂに平行な方向へ扉３全体を僅かにスライドさせることによって行い、扉３を開く動作は、扉を蝶番を中心として揺動させることによって行う。従って、使用者が意図的に扉３をスライドさせない限り、ロックは解除されない。そのため、特許文献２に比べて小さな力でロックを解除できるようにしても、地震等の揺れや振動によって扉が開いてしまうおそれはない。そして、使用者にとっては、扉３全体を揺動させる前に僅かにスライドさせるだけで扉３を開くことができるので、レバーやつまみやかんぬきなどの部材を操作する必要がなく容易に操作できる。また、特許文献２においてプッシュキャッチタイプのマグネットキャッチを利用する場合には、扉の主面に物品や人体が触れてロックが解除される可能性があるが、本実施形態の場合には、扉３に対してその主面３ｂに平行な方向に、扉３が取り付けられている筐体１（被取付物）に対して相対的な予期しない力が加わること、例えば扉の上下の端面や左右の端面に局部的に押圧力が加わることは、地震等の揺れや振動によっても殆ど生じないと考えられる。従って、操作者が意図的な操作を行わないときに扉３が開いてしまうおそれは殆どない。
【００２７】
以上説明した通り、本実施形態では、使用者が意図して操作する場合にはロックを解除して扉３を開く操作が非常に簡単であるが、予期しない衝撃や振動等によってロックが解除されることはない。したがって、地震等の対策として非常に優れている。
【００２８】
図３には、本実施形態の変形例が示されている。図３（ａ）〜（ｃ）は第１の変形例の蝶番６の動作を示し、図３（ａ’）〜（ｃ’）はそれに対応する扉３の開閉動作を示している。
【００２９】
この蝶番６は、扉３にねじ５により固定されている一片（一方の羽根）６ｂと、筐体１にねじ５により固定されている他片（他方の羽根）６ｃと、一片６ｂと他片６ｃとを連結する長円筒部６ｄとを有し、長円筒部６ｄ内に、揺動中心となる軸６ａと、この軸６ａを付勢する付勢手段であるばね７が配置されている。このばね７は、２０グラム重〜２キログラム重の範囲内で任意に設定された閾値以上の外力が加わったときに初めて縮んで一片６ｂおよび扉３のスライドを許容するものであり、その閾値未満の外力が加わっても変形せず扉３のスライドを防ぐものである。なお、扉３の内面（裏面）には、後述する開閉動作において長円筒部６ｄが障害物とならないように逃がすための切り欠き部３ｃが形成されている。
【００３０】
図３（ａ），（ａ’）に示す初期状態では、図１，２に示すのと同様なロック機構によって扉３は閉じた位置に保持されている。そして、閾値以上の外力が扉３に加わると、図３（ｂ），（ｂ’）に示すように、扉３はばね７を縮めながら主面３ｂに平行な面内でスライドする。この時、図２（ｂ）に示すのと同様にロック機構が解除される。そこで扉３を蝶番６の軸６ａを中心として揺動させて開くことができる。扉３を閉じる際には、扉３を蝶番６の軸６ａを中心として揺動させて閉じると同時に、図示しないロック機構によって扉３を閉じた位置に保持させる。
【００３１】
図３（ｄ）〜（ｆ）は第２の変形例の蝶番８の動作を示し、図３（ｄ’）〜（ｆ’）はそれに対応する扉３の開閉動作を示している。
【００３２】
この蝶番８は、扉３にねじ５により固定されている一片（一方の羽根）８ｂと、筐体１にねじ５により固定されている他片（他方の羽根）８ｃと、一片８ｂと他片８ｃとを連結する、屈曲した連結部８ｄとを有し、連結部８ｄが弾性変形可能な付勢手段になっている。この連結部８ｄは、２０グラム重〜２キログラム重の範囲内で任意に設定された閾値以上の外力が加わったときに初めて弾性変形して一片８ｂおよび扉３のスライドを許容するものであり、その閾値未満の外力が加わっても変形せず扉３のスライドを防ぐものである。なお、扉３の内面（裏面）には、一片８ｂを取り付けるための切り欠き部３ｃが形成されている。
【００３３】
図３（ｄ），（ｄ’）に示す初期状態では、図１，２に示すのと同様なロック機構によって、扉３は閉じた位置に保持されている。そして、閾値以上の外力が扉に加わると、図３（ｅ），（ｅ’）に示すように、扉３は連結部８ｄを弾性変形させながら主面３ｂに平行な面内でスライドする。この時、図２（ｂ）に示すのと同様にロック機構が解除される。そこで扉３を蝶番８の軸８ａを中心として揺動させて開くことができる。扉３を閉じる際には、扉３を蝶番８の軸８ａを中心として揺動させて閉じると同時に、図示しないロック機構によって扉３を閉じた位置に保持させる。
【００３４】
次に、本発明の第２の実施形態について、図４を参照して説明する。なお、第１の実施形態と同様の部分については同一の符号を付与し説明を省略する。
【００３５】
本実施形態の蝶番９は、扉３にねじ５により固定されている一片（一方の羽根）９ｂと、筐体１にねじ５により固定されている他片（他方の羽根）９ｃを有し、軸９ａの周囲において、一片９ｂと他片９ｃのくし歯状の部分が軸９ａに沿う方向に互いに間隔をおいて交互に配置されている。そして、軸９ａに沿う一片９ｂと他片９ｃのくし歯状部分の間の隙間に、付勢手段であるばね１０がそれぞれ配置されている。そして、本実施形態では、ばね１０が縮むことによって、一片９ｂおよび扉３が、他片９ｃおよび筐体１に対して下方向、すなわち扉３の主面３ｂに平行な面内で軸９ａに平行な矢印Ｃ方向にスライド可能である。このばね１０は、２０グラム重〜２キログラム重の範囲内で任意に設定された閾値以上の外力が加わったときに初めて弾性変形して一片９ｂおよび扉３の下方へのスライドを許容するものであり、その閾値未満の外力が加わっても変形せず扉３のスライドを防ぐものである。
【００３６】
そして本実施形態のロック機構は、扉３の内面（裏面）の上端近傍に設けられている爪部３ａと、筐体１の開口部１ｂの上端内面から突出している係止部１ｃとからなる。爪部３ａが上向きの凸形状であるので、この爪部３ａと係止部１ｃの係合が扉３全体が下方へ押し下げられることによって解除される構成である。
【００３７】
図示しないが、本実施形態でも第１の実施形態と同様に、初期状態ではロック機構によって扉３は閉じた位置に保持されている。そして、閾値以上の外力が扉３に加わると、扉３はばねを縮めながら下方に、すなわち主面３ｂに平行な面内で軸９ａに平行な方向（矢印Ｃ方向）にスライドする。この時、ロック機構が解除される。そこで扉３を蝶番９の軸９ａを中心として揺動させて、扉３を開くことができる。扉３を閉じる際には、扉３を蝶番９の軸９ａを中心として揺動させて閉じると同時に、爪部３ａを係止部１ｃに係合させて扉３を閉じた位置に保持させる。
【００３８】
なお、蝶番９およびばね１０とロック機構以外の構成は第１の実施形態と同じであるので説明は省略する。
【００３９】
本発明は前記した２つの実施形態に限定されず、様々な変更が可能である。例えば、前記した各実施例では、扉３をスライドした位置からスライド前の初期位置に復帰させるように付勢させる付勢手段として、蝶番４，８の一部をなす板ばね状の連結部４ｄ，８ｄや、蝶番６，９に装填されたばね７，１０を用いているが、マグネットを設けてその磁力を付勢力として利用してもよい。その場合、蝶番自体に磁力を持たせてマグネットとして構成したり、蝶番にマグネットを貼り付けたりしてもよいが、蝶番以外の部分で扉３と筐体１にマグネットを取り付けてもよい。このように、付勢力は弾性力であっても磁力であってもよく、また付勢手段は蝶番自体に組み込まれていてもよいし、蝶番とは別に設けられていてもよい。蝶番の具体的な形態についても様々な変更が可能である。本発明の開閉機構には、筐体１と扉３との密着性を高めるためなどの目的で、いわゆるマグネットキャッチ方式を併用してもよい。
【００４０】
なお、前記したように、付勢手段は、所定の閾値（好ましくは２０グラム重〜２キログラム重の範囲内の値）以上の外力が加わったときに扉のスライドを許容し、閾値未満の外力による扉のスライドを防ぐものであるが、付勢手段の付勢力は、この閾値と、扉に加わる重力とを考慮に入れて設定する必要がある。
【図面の簡単な説明】
【００４１】
【図１】本発明の第１の実施形態の扉の開閉機構を備えた什器棚の斜視図である。
【図２】本発明の第１の実施形態の扉の開閉方法を説明する要部拡大断面図である。
【図３】（ａ）〜（ｃ）は第１の変形例の蝶番の動作を説明する要部斜視図、（ａ’）〜（ｃ’）は第１の変形例の扉の開閉動作を説明する要部断面図、（ｄ）〜（ｆ）は第２の変形例の蝶番の動作を説明する要部斜視図、（ｄ’）〜（ｆ’）は第２の変形例の扉の開閉動作を説明する要部断面図である。
【図４】本発明の第２の実施形態の扉の開閉機構を備えた什器棚の斜視図である。
【符号の説明】
【００４２】
１          筐体（被取付体）
１ｃ        係止部（ロック機構）
３          扉
３ａ        爪部（ロック機構）
３ｂ        主面
４，６，８，９            蝶番
４ａ，６ａ，８ａ，９ａ    軸
４ｂ，６ｂ，８ｂ，９ｂ    一片（一方の羽根）
４ｃ，６ｃ，８ｃ，９ｃ    他片（他方の羽根）
４ｄ，８ｄ  連結部（付勢手段）
７，１０    ばね（付勢手段）
【図１】
2006045943.tif 000003
【図２】
2006045943.tif 000004
【図３】
2006045943.tif 000005
【図４】
2006045943.tif 000006